(57)【特許請求の範囲】
【請求項１】
ロープに吊下げられて昇降路内を昇降する乗りかごと、前記ロープに吊下げられて前記昇降路内を前記乗りかごと反対向きに昇降する釣合い錘と、前記ロープの中央部が巻き掛けられるトラクションシーブが回転軸に連結された電動機により構成され、その底部にほぼ長方形の設置面を形成するように固定された第１および第２の固定台が設けられた巻上機と、この巻上機が、前記固定台によりその上面に設置され、前記昇降路の上部に懸架された巻上機支持梁と、この巻上機支持梁の下面に支持されて前記乗りかごを吊下げたロープを前記巻上機のトラクションシーブに導く第１および第２のそらせシーブと、
を具備し、前記第１および第２のそらせシーブは、前記巻上機の第１および第２の固定台に対応する位置において前記巻上機支持梁の下面に支持されていることを特徴とするエレベータ装置。
【請求項２】
前記第１および第２のそらせシーブは、それぞれの回転軸を支持する第１および第２のシーブ支持脚により、前記巻上機支持梁の下面に支持されており、前記第１および第２のそらせシーブの各回転軸は、それぞれ前記巻上機の第１および第２の固定台の直下に配置されていることを特徴とする請求項１に記載のエレベータ装置。
【請求項３】
前記第１および第２のそらせシーブは、前記巻上機設置面に設けられた第１および第２の固定台を通る鉛直線上にその一部が存在するように配置されていることを特徴とする請求項２に記載のエレベータ装置。
【請求項４】
前記巻上機支持梁は、前記乗りかごおよび釣合い錘をそれぞれ昇降方向に案内するガイドレールの上端部に防振部材を介して取り付けられている請求項１に記載のエレベータ装置。
【請求項５】
前記第１および第２のシーブ支持脚は、前記巻上機支持梁の下部に一端が固定されて沿直方向に延びる断面コの字状または断面Ｈ状の形状を有する長尺の鋼材からなる請求項１に記載のエレベータ装置。
【発明の詳細な説明】
【技術分野】
【０００１】
本発明は、昇降路の上端部に懸架された巻上機支持梁に加わる過大な荷重を軽減することのできるエレベータ装置に関する。
【背景技術】
【０００２】
エレベータの巻上機は、電動機の出力軸の一端に同軸に装着されたトラクションシーブにより、これに巻き掛けられたロープを回転駆動することにより、ロープに吊下げられた乗りかごと釣合い錘とを昇降路内において逆向きに昇降させる。前記巻上機は、昇降路の上部、例えば乗りかごを沿直方向にガイドするかごガイドレールの上端部と、釣合い錘を沿直方向にガイドする錘ガイドレールの上端部との間に懸架された前記巻上機支持梁上に設けられる（例えば特許文献１を参照）。
【先行技術文献】
【特許文献】
【０００３】
【特許文献１】特開２０１０−１８４７９１号公報
【発明の概要】
【発明が解決しようとする課題】
【０００４】
前記巻上機の下方には、乗りかごを吊り下げたロープの走行経路をＳ字状に曲げて前記トラクションシーブに導く一対のそらせシーブが設けられる。これらの一対のそらせシーブの支持板は前記前記巻上機支持梁の仮面に固定されている。このようなそらせシーブを利用してロープの方向を変更する際、前記巻上機支持梁には一対のそらせシーブのそれぞれに作用する張力により過大な加重がかかる。このため、巻上機支持梁としては大きな強度が要求され、重量や体積を大きくしなければならないという問題があった。
【０００５】
本発明はこのような事情を考慮してなされたもので。その目的は、巻上機支持梁に加わる荷重負担を軽減し得るエレベータ装置を提供することにある。
【課題を解決するための手段】
【０００６】
上述した目的を達成するべく本発明に係るエレベータ装置は、ロープに吊下げられて昇降路内を昇降する乗りかごと、前記ロープに吊下げられて前記昇降路内を前記乗りかごと反対向きに昇降する釣合い錘と、前記ロープの中央部が巻き掛けられるトラクションシーブが回転軸に連結された電動機により構成され、その底部にほぼ長方形の設置面を形成するように固定された第１および第２の固定台が設けられた巻上機と、この巻上機が、前記固定台によりその上面に設置され、前記昇降路の上部に懸架された巻上機支持梁と、この巻上機支持梁の下面に支持されて前記乗りかごを吊下げたロープを前記巻上機のトラクションシーブに導く第１および第２のそらせシーブと、を具備し、前記第１および第２のそらせシーブは、前記巻上機の第１および第２の固定台に対応する位置において前記巻上機支持梁の下面に支持されていることを特徴としている。
【０００７】
また、上記本発明に係るエレベータ装置においては、前記第１および第２のそらせシーブは、それぞれの回転軸を支持する第１および第２のシーブ支持脚により、前記巻上機支持梁の下面に支持されており、前記第１および第２のそらせシーブの各回転軸は、それぞれ前記巻上機の第１および第２の固定台の直下に配置されていることを特徴としている。
【０００８】
さらに、上記本発明に係るエレベータ装置においては、前記第１および第２のそらせシーブは、前記巻上機設置面に設けられた第１および第２の固定台を通る鉛直線上にその一部が存在するように配置されていることを特徴としている。
【０００９】
前記巻上機支持梁は、好ましくは、前記乗りかごおよび釣合い錘をそれぞれ昇降路に沿って案内するガイドレールの上端部に防振部材を介して取り付けられている。
【発明の効果】
【００１０】
上記構成のロープ支持構造を採用したエレベータ装置によれば、巻上機支持梁の下部に第１および第２のシーブ支持脚を介して支持された第１および第２のそらせシーブの回転軸が、それぞれ巻上機を巻上機支持梁上に固定する第１および第２の固定台の直下に配置されているため、前記巻上機設置面に設けられた第１および第２の固定台のうち、トラクションシーブ側の固定台に加えられる下向きの力は、第１および第２のシーブ支持脚のうちの一方を介して加えられる前記第１および第２の下部そらせシーブのうちの一方により加えられる上向きの力により相殺される。また、前記第１および第２の固定台のうち、トラクションシーブと反対側の固定台に加えられる上向きの力は、前記第１および第２のシーブ支持脚のうちの他方を介して加えられる前記第１および第２の下部そらせシーブのうちの他方により加えられる下向きの力により相殺される。従って、巻上機支持梁に印加されるエレベータの乗りかごおよび釣合い錘からの荷重は緩和され、過大荷重やモーメントが加えられることがない。このため、巻上機支持梁には過大な強度が要求されることがなく、その全体の容積も小さくすることができる。
【００１１】
さらに巻上機支持梁が固定されるかごガイドレールおよび錘ガイドレールの上端との間に挿入される防振部材に加わる荷重も軽減することができるため、その材料強度に対する要求も過大とならず、その寿命も延長することができる。
【図面の簡単な説明】
【００１２】
【図１】本発明の一実施形態に係るエレベータ装置の全体構成を示す斜視図。
【図２】図１に示すエレベータ装置の概略構成を示す模式図。
【図３】図１に示すエレベータ装置に組み込まれるロープ支持構造を示す要部概略構成図。
【図４】図３に示すロープ支持構造における電動機と下部そらせシーブの配置例を示す平面図。
【発明を実施するための形態】
【００１３】
以下、図面を参照して本発明の一実施形態について説明する。
【００１４】
図１はエレベータ装置の全体構成を示す図で、乗りかご１はロープ２に吊下げられて昇降路内を昇降する。釣合い錘３は前記ロープ２に吊下げられて前記昇降路内を前記乗りかご１と反対向きに昇降する。前記乗りかご１は、昇降路の両側壁面に対峙させて沿直に敷設された一対の乗りかごガイドレール４により案内されて前記昇降路内を昇降する。また前記釣合い錘３は、昇降路の後壁面に沿直に敷設された一対の錘ガイドレール５により案内されて前記昇降路内を昇降する。
【００１５】
また前記昇降路内の上部、例えば、前記乗りかごガイドレール４の上端部と前記錘ガイドレール５の上端部との間には、後述する耐震機構を介して巻上機支持梁６が架け渡されており、この巻上機支持梁６の上には、その出力軸の端部にトラクションシーブ７を装着した細長い円筒型の電動機８が固定されている。この電動機８およびトラクションシーブ７は、これに巻き掛けられた前記ロープ２を駆動して前記乗りかご１と釣合い錘３とを互いに逆向きに昇降させる巻上機９を構成する。
【００１６】
前記ロープ２は、図２に模式的に示すように、例えばその両端を前記昇降路の側壁部および後壁部の各上部にそれぞれ設けられた懸架部（ヒッチ部）１１、１２にそれぞれ固定されている。そして側壁部上部の懸架部（ヒッチ部）１１から側壁に沿って下方に延びるロープ２は、前記乗りかご１の下部に設けられた一対のかご下部シーブ１３ａ、１３ｂを介して他方の側壁に沿って昇降路の上方に導かれ、更に一対のそらせシーブ１４ａ、１４ｂを介して前記巻上機９のトラクションシーブに導かれる。この一対のそらせシーブ１４ａ、１４ｂは、前記巻上機９から垂下するロープ２の走行経路をＳ字状に曲げて前記乗りかご１１のかご下部シーブ１３ａ、１３ｂに導く役割を担う。
【００１７】
また他方の懸架部（ヒッチ部）１２から後壁部に沿って下方に延びるロープ２は、前記釣合い錘３の上部に設けられた一対の錘上部シーブ１５ａ、１５ｂを介して折り返され、後壁部に沿って前記昇降路の上方に導かれて前記巻上機９のトラクションシーブ７に導かれる。
【００１８】
尚、図１において、１ａは乗りかご１に設けられたかごドアであり、１０はエレベータの乗場階に設けられてその出入口を開閉するホールドアである。
【００１９】
ところで前述した巻上機９を支持する巻上機支持梁６は、図３にそのロープ支持構造の要部概略構成を示すように、前記乗りかごガイドレール４の上端部から横方向に張り出して設けたアーム状の支持ブラケット２１と、前記錘ガイドレール５の上端部から横方向に張り出して設けたアーム状の支持ブラケット２２との間に、弾性ゴム等を主体として構成される防振機構２３、２３を介して架け渡されている。この巻上機支持梁６の上面に巻上機９の電動機８が固定支持され、前記ロープ２は前記電動機８の主力軸に装着されたトラクションシーブ７に巻き掛けられる。
【００２０】
図４の平面図に示すように、前記巻上機９は、回転軸の一端にトラクションシーブ７が装着される電動機８からなり、電動機８の底部には４個の固定台８ａ、８ａ、８ｂ、８ｂが固定されている。これらの固定台８ａ、８ａ、８ｂ、８ｂの底面は、電動機８の長手方向に沿った長方形の設置面を形成し、電動機８を巻上機支持梁６の上面に固定する。ここで、４個の固定台中の２個８ａ、８ａは長方形の設置面のトラクションシーブ７と反対側の短辺上に配置されており、以下ではこれらを第１の固定台８ａ、８ａと呼ぶ。また、４個の固定台中の残りの２個８ｂ、８ｂはトラクションシーブ７側の短辺に上に配置されており、以下ではこれらを第２の固定台８ｂ、８ｂと呼ぶものとする。巻上機支持梁６は長方形の剛板体からなり、巻上機９は好ましくはその略中央部に固定される。
【００２１】
一対のそらせシーブ、すなわち、第１および第２のそらせシーブ１４ａ、１４ｂは、上述した巻上機支持梁６の下面側に固定された第１および第２のシーブ支持脚２４ａ、２４ｂにそれぞれ軸支されている。これらのシーブ支持脚２４ａ、２４ｂは、巻上機支持梁６の下部に一端が固定されて沿直方向に延びる、例えば断面コの字状または断面Ｈ状の形状を有する長尺の鋼材により製造されている。ここで図３および図４に示すように、第１のそらせシーブ１４ａは、第１のシーブ支持脚２４ａを介して巻上機９の第１の固定台８ａの直下の位置に配置されている。同様に第２のそらせシーブ１４ｂは、第２のシーブ支持脚２４ｂを介して巻上機９の第２の固定台８ｂの直下の位置に配置されている。すなわち、第１及び第２のシーブ支持脚２４ａ、２４ｂの上端は、前記巻上機支持梁６の下面であってその長手方向の位置に関して、巻上機９の第１および第２の固定台８ａ、８ｂに対応した位置にそれぞれ固定され、他端はそれぞれ下方に延長されている。ここで、上記巻上機９の第１の固定台８ａの直下の位置とは、前記巻上機の第１の固定台８ａ、８ａのうちのいずれか一方の固定台８ａの底面の中心部を通る垂線上に前記第１のそらせシーブ１４ａの水平な回転軸が存在するような位置を意味する。しかし、これに限られるものではなく、第１の固定台８ａ、８ａを構成する２個の固定台の底面間を結ぶ水平線の中心を通る垂線上に第１のそらせシーブ１４ａの水平な回転軸が存在するような位置をも意味する。また、第１の固定台８ｂの直下の位置についても同様な意味を有するものとする。すなわち、前記第１および第２のそらせシーブの回転軸は、前記巻上機設置面に設けられた第１および第２の固定台底面の直下にそれぞれは位置することにより、下記に説明する作用効果を得ることができる。
【００２２】
上記構成のロープ支持構造を採用したエレベータ装置によれば、巻上機支持梁６上に巻上機９を支持する第１および第２の固定台８ａ、８ｂと、前記巻上機支持梁６の下部に第１および第２のシーブ支持脚２４ａ、２４ｂを介して支持された第１および第２のそらせシーブ１４ａ、１４ｂの回転軸との、前記巻上機支持梁６の長手方向の位置が、垂直方向に揃えて設けられているので、巻上機９の設置面に設けられた第２の固定台８ｂを介して巻上機支持梁６に加えられる下向きの力Ａは、第１のシーブ支持脚２４ｂを介して加えられる前記第２のそらせシーブ１４ｂにより加えられる上向きの力Ｃにより相殺される。また、巻上機９の設置面に設けられた第１の固定台８ａには、第２の固定台８ｂに加えられる下向きの力Ａによる回転モーメントにより上向きの力Ｂが加えられるが、この上向きの力Ｂは、前記第１のシーブ支持脚２４ａを介して加えられる第１のそらせシーブ１４ａにより加えられる下向きの力Ｄにより相殺される。従って、巻上機支持梁６に印加されるエレベータの乗りかごおよび釣合い錘からの荷重は緩和され、過大荷重やモーメントがトが加えられることがない。このため、巻上機支持梁６には過大な強度が要求されることがなく、その全体の容積も小さくすることができる。
【００２３】
尚、本発明は上述した実施形態に限定されるものではない。例えば巻上機支持梁６は全体として１枚の板により構成したが、巻上機の長手方向に延長された２枚の幅の狭い板状の梁を平行に配置し、それぞれに巻上機の第１、第２の固定台を固定しても良い。
【００２４】
また、巻上機支持梁６の下面側に固定された第１および第２のそらせシーブ１４ａ、１４ｂを支持する支持脚２４ａ、２４ｂの長さについては、ロープ２からそらせシーブ１４ａ、１４ｂを介して加わる力を考慮して決定すればよい。さらに、巻上機支持梁６を支持する防振機構２３についても、例えばオイルダンプを用いることもでき、特に限定されない。
【符号の説明】
【００２５】
１  乗りかご
２  ロープ
３  釣合い錘
４  乗りかごガイドレール
５  錘ガイドレール
６  巻上機支持梁
７  トラクションシーブ
８  電動機
８ａ、８ｂ  固定台
９  巻上機
１４ａ、１４ｂ  そらせシーブ
２１、２２  ブラケット
２３  防振機構
２４ａ、２４ｂ  シーブ支持脚
【図１】
0005317039.tif 000002
【図２】
0005317039.tif 000003
【図３】
0005317039.tif 000004
【図４】
0005317039.tif 000005